(57)【要約】【課題】表示内容の識別性をより一層向上させることが可能な発光表示装置を提供する。【解決手段】発光表示装置１は、絶縁性基板２１に所定の配線パターンが形成された配線基板２と、この配線基板２に搭載された発光素子３と、表示単位である１個の発光素子３ごとに隔離する貫通孔４１ａが設けられた遮光ケース４と、遮光ケース４の上面に設けられたカバーシート５と、配線基板２の裏面に設けられ、ドットマトリクス状に配置された発光素子３を選択的に点灯させるＩＣドライバとを備えている。この貫通孔４１ａの周壁部４１ｂは、発光素子３側より光出射側の方が狭くなるように形成されていると共に、開口形状が円形に形成されている。【選択図】図２
2009250997.tif 000002
【特許請求の範囲】
【請求項１】
複数の点光源が基体の搭載面に搭載され、前記複数の点光源のうち表示単位である１以上の点光源ごとの間に、それぞれを隔離する周壁部が前記１以上の点光源の周囲を囲うように設けられた発光表示装置であって、
前記周壁部は、前記点光源側より光出射側の方が狭くなるように形成されていることを特徴とする発光表示装置。
【請求項２】
前記周囲壁は、開口形状が円形に形成されている請求項１記載の発光表示装置。
【発明の詳細な説明】
【技術分野】
【０００１】
本発明は、複数の発光素子が配線基板に搭載され、この複数の発光素子のうち１以上の発光素子ごとの間に、それぞれを隔離する周壁部が設けられた発光表示装置に関する。
【背景技術】
【０００２】
折り畳み式の携帯電話装置などでは、時刻表示したり、着信を知らせたりするために小型の液晶表示パネルや有機ＥＬ（Electro Luminescence）パネルが、二つ折りしたときの状態の外側となる面に設けられている。しかし、視覚的な発光装飾性の向上を目的として、縦列および横列に配置された発光素子などの点光源が液晶表示パネルや有機ＥＬの役目に取って代わろうとしている。点光源はマトリクス状に配置することで、絵や文字などが浮かび上がるような視覚効果が得ることができる。
【０００３】
このような発光素子をマトリクス状に配列したものとして照明装置があるが、例えば特許文献１に記載されたものがある。この特許文献１に記載の発光パネル装置は、プリント基板に、縦横にマトリクス（格子）状に整列された３６個の単色の赤色発光ダイオードチップと、各発光ダイオードチップを区画し、かつ、所定角度に集光させるために、プリント基板の上面に載置されたリフレクターと、前記リフレクターにて囲まれたプリント基板の各上面を無色透明なエポキシ樹脂にて封止した封止部とを有する発光ダイオードモジュールユニットを備えたものである。
【特許文献１】特開２００３−９２４２８号公報
【発明の開示】
【発明が解決しようとする課題】
【０００４】
特許文献１に記載の発光パネル装置では、隣接する発光ダイオードチップからの光の境界線付近において暗くなることがなく、どの部分においても均一な発光状態にするために、リフレクターが四方に広がるようにほぼ４５度の角度の傾斜面に形成された４つの偏平な反射面を備えている。
【０００５】
照明装置では、隣接する発光ダイオードチップからの光の境界線付近において暗くなることを防止することが重要であるが、発光表示装置では、隣接する点光源同士の境界がなくなると識別しにくい場合がある。
【０００６】
このようなときには点光源同士の間隔を広くすればよいのだが、例えば携帯電話装置などの小型の装置に発光表示装置を設ける場合には、表示面積が狭いため点光源の間の距離を確保することができない。
【０００７】
そこで本発明は、表示内容の識別性をより一層向上させることが可能な発光表示装置を提供することを目的とする。
【課題を解決するための手段】
【０００８】
本発明の発光表示装置は、複数の点光源が基体の搭載面に搭載され、前記複数の点光源のうち表示単位である１以上の点光源ごとの間に、それぞれを隔離する周壁部が前記１以上の点光源の周囲を囲うように設けられた発光表示装置であって、前記周壁部は、前記点光源側より光出射側の方が狭くなるように形成されていることを特徴とする。
【発明の効果】
【０００９】
本発明は、観察者から見える隣接する点光源との距離を大きく確保することができるので、隣り合う点光源と混じり合うように見えてしまうことを防止することができる。従って、本発明の発光表示装置は、表示内容の識別性をより一層向上させることが可能である。
【発明を実施するための最良の形態】
【００１０】
本願の第１の発明は、複数の点光源が基体の搭載面に搭載され、複数の点光源のうち表示単位である１以上の点光源ごとの間に、それぞれを隔離する周壁部が１以上の点光源の周囲を囲うように設けられた発光表示装置であって、周壁部は、点光源側より光出射側の方が狭くなるように形成されていることを特徴としたものである。
【００１１】
表示単位である１以上の点光源をそれぞれ隔離する周壁部が、点光源の光出射方向に向かって開口面積が狭く形成されているので、観察者から見える隣接する点光源との距離を大きく確保することができる。従って、隣り合う点光源と混じり合うように見えてしまうことを防止することができる。
【００１２】
本願の第２の発明は、第１の発明において、周壁部は、開口形状が円形に形成されていることを特徴としたものである。
【００１３】
例えば、表示単位である１以上の点光源がマトリクス状に整列した場合では、周壁部の開口形状が矩形のものと比較して、円形である方が開口部同士の距離が遠くなる。従って、開口形状を円形とすることで、観察者から見える点光源同士の距離を大きく確保することができる。
【００１４】
（実施の形態）
本発明の実施の形態に係る発光表示装置を図面に基づいて説明する。
【００１５】
図１は、本発明の実施の形態に係る発光表示装置を示す分解斜視図である。図２は、図１に示す発光表示装置の断面図である。
【００１６】
発光表示装置は、二つ折りする折り畳み式の携帯電話装置の背面側にサブディスプレイとして設けられるものである。図１および図２に示すように、発光表示装置１は、矩形状に形成された配線基板２と、この配線基板２に搭載された発光素子３と、発光素子３のそれぞれを隔離する遮光ケース４と、この遮光ケース４の上面に設けられたカバーシート５と、配線基板２の背面側に搭載されたドライバＩＣ６（図３参照）とを備えている。なお、ドライバＩＣ６については図１および図２において図示していない。
【００１７】
配線基板２は、ガラスエポキシ樹脂などの絶縁性基板２１に、金属薄膜で形成された図示しない配線パターンが設けられたプリント基板である。ここで、絶縁性基板２１に設けられた配線パターンについて図３に基づいて詳細に説明する。図３は、図１に示す発光表示装置１の回路図である。
【００１８】
図３に示すように、配線パターン２２は、ドライバＩＣ６からの横列用配線パターン２２ａが発光素子３の各アノード端子と配線されると共に、ドライバＩＣ６からの縦列用配線パターン２２ｂが発光素子３の各カソード端子と配線されている。このように配線パターン２２が絶縁性基板２１に配線されていることで、ドライバＩＣ６がドットマトリクス状に配置された発光素子３を１個ごと選択的に点灯駆動することができる。つまり、発光表示装置１は、１個の発光素子３が１つの表示単位となる。この表示単位は、発光素子３を複数並列接続することで同時点灯する数を増やすことも可能である。
【００１９】
発光素子３は、基板に半導体層を積層すると共に、ｎ電極およびｐ電極を形成した点光源で、上述したように配線基板２にドットマトリクス状に配列されている。発光素子３の色は適宜決定することができるが、本実施の形態では、発光素子３の発光色として橙色のものを使用している。なお、発光素子３は必要に応じて樹脂封止することも可能である。
【００２０】
遮光ケース４は、外形が矩形状に形成されたケース本体４１と、ケース本体４１から突出した脚部４２とを備えている。
【００２１】
ケース本体４１には、発光素子３が搭載された位置に対応させて開口形状が円形の貫通孔４１ａが設けられている。この貫通孔４１ａは、遮光ケース４が配線基板２に配置されると内部に発光素子３が位置することで、それぞれの発光素子３を隔離している。この貫通孔４１ａの周壁部４１ｂは、発光素子３側より光出射側の方が狭く形成されている。つまり、貫通孔４１ａは、周壁部４１ｂが光出射方向に向かうに従って徐々に開口面積が少なく切頭円錐形状となるように形成されている。この周壁部４１ｂは、開口部分のみを狭くした円筒形とすることも可能である。
【００２２】
脚部４２は、絶縁性基板２１に設けられた取付孔２１ａを挿通した状態で絶縁性基板２１の裏側で固着されることで、遮光ケース４が配線基板２に固定されている。
【００２３】
カバーシート５は、ポリエステル（ＰＳ）樹脂やポリカーボネート（ＰＣ）や樹脂ポリエチレンテレフタレート（ＰＥＴ）樹脂で形成された光透過性を有する無色透明なシートである。
【００２４】
以上のように構成された本発明の実施の形態に係る発光表示装置１の使用状態について、図面に基づいて説明する。
【００２５】
ドライバＩＣ６により選択的に発光素子３を点灯させる。発光素子３の点灯により光がケース本体４１に設けられた貫通孔４１ａから出射する。貫通孔４１ａは、発光素子３側より光出射側の方が狭く形成されているので、出射する範囲が制限される。ここで、従来の発光表示装置の使用状態を詳細に説明する。なお、図４において従来の発光表示装置１００の断面図を示すが、図２に示す本実施の形態に係る発光表示装置１と同じ構成のものは同符号を付している。
【００２６】
図４に示すように、従来の発光表示装置１００では、遮光ケース１０１に設けられた貫通孔１０１ａとして発光素子３側から光出射側までが等幅のものが採用されている、若しくは、他の従来の発光表示装置では、光反射性を向上させるために、貫通孔は発光素子側から光出射側に向かって徐々に広がるように形成される。しかし、このような遮光ケース１０１では、隣接する発光素子３同士の光が干渉しやすく、文字や記号として表示がぼやけた状態となってしまうため、文字や記号が視認しづらくなる。特に、発光素子３からの光の眩しさを軽減するために遮光ケース１０１の上面にカバーシート５が設けられていると、隣接する発光素子３同士からの光が干渉する度合いが増大してしまう。
【００２７】
図２に示す本実施の形態に係る発光表示装置１では、ケース本体４１に設けられた貫通孔４１ａの周壁部４１ｂが、発光素子３側より光出射側の方が狭くなるように形成されているので、隣接する発光素子３同士の光が干渉し難く、従って、文字や記号としての表示を視認しやすいので、表示内容の識別性をより一層向上させることが可能である。
【００２８】
また、反射性を向上させるために、貫通孔が発光素子３側から光出射側に向かって徐々に広がるように形成した遮光ケースでは、樹脂成形時の型抜きが困難であるため、遮光ケースを一つの成形品とすることができない。
【００２９】
発光表示装置１の場合では、ケース本体４１を樹脂製の成型品とした場合でも、貫通孔４１ａが発光素子３側より光出射側の方が狭くなるように形成されているので、型抜きが容易である。従って、遮光ケース４は大量生産するのに好適な形状である。
【００３０】
また、この遮光ケース４の上面にはカバーシート５が設けられているので異物の侵入を防止することができる。
【００３１】
例えば、発光素子３を覗かせる開口部が円形状の貫通孔４１ａが、図５に示すように円形に接する正方形状に形成されていたとする（図５においては点線で示す。）。
【００３２】
この場合では、上下関係にある矩形状の貫通孔Ｈ同士の間が距離Ｌ１であり、これは中央部でも角部でも変わらない。しかし、図５に示すように貫通孔４１ａが円形状であれば、最も近い位置は距離Ｌ１であったとしても、それ以外は距離Ｌ１より離間する。
【００３３】
また、斜めの位置関係にある場合では、貫通孔Ｈの角部同士の間が距離Ｌ２であるが、円形状の貫通孔４１ａ同士では距離Ｌ２より遠くなる。従って、貫通孔４１ａの開口形状が円形に形成されていることで、観察者から見える発光素子３同士の距離を大きく確保することができるので、より隣接する発光素子３同士の光の干渉を抑止することができる。また、貫通孔４１ａの開口形状を円形とすることで、より発光素子３同士を接近させて配置することが可能なので、小型化が可能である。
【００３４】
なお、発光素子３を覗かせる遮光ケースの開口形状が意匠性の向上を目的として、図５において点線で示される矩形状に形成されていても、発光素子３を囲う周壁部が発光素子３側より光出射側の方が狭くなるように形成されていればよい。
【００３５】
以上、本発明の実施の形態について説明してきたが、本発明は前記実施の形態に限定されるものではない。例えば、本実施の形態では貫通孔４１ａをケース本体４１に設けることで発光素子３を覗かせているが、発光素子３をそれぞれ隔離することができれば、単に発光素子３の周囲に囲う周壁部を形成してもよい。
【産業上の利用可能性】
【００３６】
本発明は、表示内容の識別性をより一層向上させることが可能なので、複数の発光素子が配線基板に搭載され、この複数の発光素子のうち１以上の発光素子ごとの間に、それぞれを隔離する周壁部が設けられた発光表示装置に好適である。
【図面の簡単な説明】
【００３７】
【図１】本発明の実施の形態に係る発光表示装置を示す分解斜視図
【図２】図１に示す発光表示装置の断面図
【図３】図１に示す発光表示装置の回路図
【図４】従来の発光表示装置１００を示す断面図
【図５】発光素子を覗かせる貫通孔を説明するための図
【符号の説明】
【００３８】
１  発光表示装置
２  配線基板
３  発光素子
４  遮光ケース
５  カバーシート
６  ドライバＩＣ
２１  絶縁性基板
２１ａ  取付孔
２２  配線パターン
２２ａ  横列用配線パターン
２２ｂ  縦列用配線パターン
４１  ケース本体
４１ａ  貫通孔
４１ｂ  周壁部
４２  脚部
１００  従来の発光表示装置
１０１  遮光ケース
１０１ａ  貫通孔
【図１】
2009250997.tif 000003
【図２】
2009250997.tif 000004
【図３】
2009250997.tif 000005
【図４】
2009250997.tif 000006
【図５】
2009250997.tif 000007